(57)【特許請求の範囲】
【請求項１】
電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成されることにより、前記補助電極部と前記接触電極部の交差点の上部のプレート部を触れても前記制御回路部が触れたと検知しないようにした電磁調理器。
【発明の詳細な説明】
【技術分野】
【０００１】
本発明は、フラットパネルを構成するプレート部に設けたタッチキーを有する電磁調理器に関するものである。
【背景技術】
【０００２】
従来、この種のタッチキーは、例えば図８、図９に示すものが提案されている。図８はタッチキーの側面から見た図で、１はガラス等の表面の平らな電気絶縁物のプレート部である。２３、２４はプレート部１の対向する位置に設けた電極部で、電極部２３、２４とプレート部１でコンデンサを形成している。８はプレート部１の裏側に設けた電極部２４に接触し、プレート部１の表側電極部２３に指６で触れたときの信号電圧レベルを制御回路部５に伝える接触電極部である。制御回路部５は高周波電圧を電極部２４に送り、電極部２３に指６で触れたとき高周波電圧を電極部２４、プレート部１、電極部２３、指６を通じてバイパスし、電極部２４に現れる電圧が低下することを検知して電極部２３に触れたことを検知するものである。
【０００３】
図９はタッチキーを電磁調理器に適用した例で、１はガラス等でできたプレート部、７は筐体である。２５はプレート部１に設けた複数のタッチキーの表側電極部である。
【０００４】
１ａはプレート部１に設けた鍋置き部で、ここに鍋を置きプレート部１の下にあるコイル部（図示せず）より鍋に渦電流を流し、鍋を加熱し鍋内の食品を調理するものである。
【発明の開示】
【発明が解決しようとする課題】
【０００５】
本発明は、タッチキーの電極とは別に設けた信号取り出し用の補助電極部の上部のプレート部に触れても誤動作がなく、プレートの設置位置がずれても接触不良のない安定した動作のタッチキーを有する電磁調理器を提供することを目的とする。
【課題を解決するための手段】
【０００６】
本発明は上記課題を解決するために、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成されることにより、前記補助電極部と前記接触電極部の交差点の上部のプレート部を触れても前記制御回路部が触れたと検知しないようにしたものである。
【発明の効果】
【０００８】
本発明によれば、裏側電極部とは別に設けた信号取り出し用の補助電極部の上部のプレート部に触れても誤動作がなく、プレートの設置位置がずれても接触不良のない安定した動作の電磁調理器を提供することができる。
【発明を実施するための最良の形態】
【００１５】
請求項１に記載の発明は、電気絶縁物よりなり鍋置き部を設けたプレート部と、前記プレート部の下に設けられ前記鍋置き部に置かれた鍋に渦電流を流し加熱するコイル部と、前記プレート部の表裏に対向して設けた電極部と、高周波電圧を前記プレート部の裏側に設けられた裏側電極部に送るとともに前記裏側電極部に対向して前記プレート部の表側に設けられた表側電極部に指が触れたとき前記裏側電極部の電圧が低下することを検知して前記表側電極部に触れたことを検知する制御回路部と、前記裏側電極部と電気的につながった補助電極部と、この補助電極部と接触し、前記裏側電極部の電圧を前記制御回路部に送る接触電極部とを有し、前記補助電極部は幅の狭い帯状形状で構成され、かつ前記接触電極部は前記補助電極部と交差する幅の狭い帯状形状で構成し、前記補助電極部と前記接触電極部の交差点の上部のプレート部を触れても前記制御回路部が触れたと検知しないようにしたから、補助電極部の上のパネル部に触れても誤動作のない、またプレートの位置がある程度ずれても制御回路部の接触電極部とプレート部の電極部との接触が保たれた信頼性の高い電磁調理器を実現できる。
【００１９】
以下、本発明の実施の形態及び参考に形態について図面を用いて説明する。なお、従来例と同じものは同じ記号を用いて説明を省略する。
【００２０】
（参考の形態１）
本参考の形態について図１、図２を用いて説明する。図１は本発明のタッチキーの側面図、図２はプレート部１の裏から見た図で、電極部３、導電経路部４を示している。２はガラス等で構成したプレート部１の表側に設けた電極部で、指６で触れることができる。３はプレート部１の裏側に電極部２と対向して設けた電極部で、電極部２、プレート部１、電極部３でコンデンサを構成している。また電極部３は接触電極部８に接し、電極部２に指６で触れたときその信号を制御回路部５に送るものである。４は電極部３につながる導電性経路部で、電極部３に対して単位長さ当たりの面積が小さいものである。
【００２１】
以上の構成で、タッチキーの使用者がセータを着る等をして静電気を帯びた場合、帯電した指６を電極部２に接近させたとき帯電電圧は電極部２に放電し、その電圧は電極部３から導電性経路部４を経て金属筐体７に放電し、制御回路部５に影響を与えないものである。導電性経路部４は金属筐体７に放電させたが、他の接地電位にある物体に放電させてもよい。またこの導電性経路部４の幅を狭くすることにより、導電性経路部４の上部のプレート部４ａ部を指６で触れた場合、導電性経路部４とプレート部１、指６で構成するコンデンサの容量を小さくすることができ、プレート部１の４ａ部を触れても検知せず、誤動作を防ぐことができる。
【００２２】
（参考の形態２）
本発明の第２の参考の形態を図３に示す。図３はプレート部１を裏から見た図で、裏側に設けた３個の電極部９、１０、１１があり、この電極部９、１０、１１にプレート部１を挟んで対向する位置にそれぞれ３個の電極部があり（図示せず）、タッチキー３組を構成している。この電極部９、１０、１１の間に導電性の領域１２を設け、接地電位にする。以上の構成で、電極部９の表側にある対向電極に触れたとき、隣側にある電極１０に生じる電圧変化を小さくすることができ、電極１０で構成するタッチキーに触れてないのに触れたと検知する動作を防ぐことができる。
【００２３】
（実施の形態１）
図４、図５に第１の実施の形態を示す。図４はプレート部１を裏から見た図で、電極部１３と電極部１３とつながって帯状の補助電極部１４がある。１５は制御回路部５と接続した帯状の接触電極部で補助電極部１４と交差している。
【００２４】
以上の構成で、補助電極部１４と接触電極部１５の交差点の上部のプレート部１４ａ部を指で触れたとき、補助電極部１４と接触電極部１５の交差点、プレート部１、指で構成されたコンデンサの容量値は小さいため、指で触れたときの電圧変化はわずかとなり、プレート部１４ａ部を触れても触れたと認識せず、誤動作を防ぐことができる。また補助電極部１４は帯状に長く、接触電極部１５も帯状に長いため、プレート部１の設置位置がずれても電極部１４と接触電極部１５の接触は保たれ確実に動作する。
【００２５】
なお、補助電極部１４は制御回路部５に接続された接触電極部１５が補助電極部１４に接触して、表電極部１６に触れたかどうかの信号を取り出すため、電極部１６の配置と制御回路部５の配置の位置関係、筐体７との位置関係およびその他の障害物との位置関係で必要となり、電極部６あるいは制御回路部５の配置の自由度を増すものである。
【００２６】
（実施の形態２）
図６に本発明の第２の実施の形態を示す。図６は補助電極部１８を短冊状に構成し、補助電極部１８の面積を小さく、かつ接触電極部１９との接触をより確実にしたものである。
【００２７】
（参考の形態３）
図７に本発明の第３の参考の形態を示す。２０、２１、２２はプレート部１の表側に設けた電極部で、２０は電源を入りあるいは切りを制御するタッチキー、２１は温度設定レベルを高く設定するタッチキー、２２は温度設定レベルを低く設定するタッチキーである。タッチキー２０に触れたとき、制御回路部５はタッチキー２０に所定時間ｔ１連続して触れたときタッチキー２０に触れたと認識し、電源を入れる。またタッチキー２１、２２に触れて温度設定レベルを変えるときも所定時間ｔ２連続して触れたとき、触れたと認識する構成とし、さらにｔ１＞ｔ２に設定する。
【００２８】
以上の構成にすることにより、誤って電源を入れてしまう危険性を小さくし、かつ温度設定レベルは軽く設定できる使いやすいタッチキーを実現できるものである。また、このタッチキーを電磁調理器に用いることにより、家庭内で安全性の高い、かつ使いやすい電磁調理器を提供できるものである。
【産業上の利用可能性】
【００２９】
以上のように本発明にかかるタッチキーを有する電磁調理器は、安定した動作をするので、フラットパネルを構成するプレート部に設けたタッチキーを有する電磁調理器に適用できる。
【図面の簡単な説明】
【００３０】
【図１】本発明の参考の形態１におけるタッチキーの側面図
【図２】本発明の参考の形態１におけるタッチキーのプレート部の裏面から見た電極部の平面図
【図３】本発明の参考の形態２におけるタッチキーのプレート部の裏面から見た電極部の平面図
【図４】本発明の実施の形態１におけるタッチキーのプレート部裏面から見た電極部と接触電極部の平面図
【図５】本発明の実施の形態１におけるタッチキーの側面図
【図６】本発明の実施の形態２におけるタッチキーのプレート部の裏面から見た電極部の平面図
【図７】本発明の参考の形態３におけるタッチキーのプレート部表面から見た電極部の平面図
【図８】タッチキーの従来例の側面図
【図９】タッチキーを電磁調理器に用いた例を示す斜視図
【符号の説明】
【００３１】
１  プレート部
２、３、９、１０、１１、１３、１６、１７、２０、２１、２２、２３、２４、２５  電極部
４  導電経路部
７  筐体
１２  導電性領域部
１４、１８  助電極部
１５、１９、８  接触電極部
５  制御回路部
【図１】
0004444260.tif 000002
【図２】
0004444260.tif 000003
【図３】
0004444260.tif 000004
【図４】
0004444260.tif 000005
【図５】
0004444260.tif 000006
【図６】
0004444260.tif 000007
【図７】
0004444260.tif 000008
【図８】
0004444260.tif 000009
【図９】
0004444260.tif 000010